(57)【要約】【課題】破魔矢を異なる姿勢で飾ることができる飾り具の提供。【解決手段】破魔矢を挿通するための孔を有する天板と、前記天板に対向し、前記孔に挿通された破魔矢の先端部を受ける底板と、略水平の状態の破魔矢を受けるように離間して配置された一対の受け部と、を具備することを特徴とする飾り具。前記天板及び前記底板とともに御札の収納空間を形成する背板及び側板を更に具備することが好ましい。また、前記一対の受け部は、前記側板から正面側に突出するように設けられていることが好ましい。前記底板は、御幣を取り付けるための台を含むことが好ましい。【選択図】図１
0003216481.tif 000002
【実用新案登録請求の範囲】
【請求項１】
破魔矢を挿通するための孔を有する天板と、
前記天板に対向し、前記孔に挿通された破魔矢の先端部を受ける底板と、
略水平の状態の破魔矢を受けるように離間して配置され、かつ前記側板から正面側に突出するように設けられている一対の受け部と、
を具備することを特徴とする飾り具。
【請求項２】
前記天板及び前記底板とともに御札の収納空間を形成する背板及び側板
を更に具備することを特徴とする請求項１に記載の飾り具。
【請求項３】
前記底板は、御幣を取り付けるための台を含むこと、
を特徴とする請求項１又は２に記載の飾り具。
【考案の詳細な説明】
【技術分野】
【０００１】
本考案は、御札や破魔矢を飾るための飾り具に関する。
【背景技術】
【０００２】
複数の御札や破魔矢を飾ることができる立て具が知られている（例えば特許文献１）。
【先行技術文献】
【特許文献】
【０００３】
【特許文献１】実用新案登録第３１９３９５７号公報
【考案の概要】
【考案が解決しようとする課題】
【０００４】
しかしながら、特許文献１に開示された立て具は、破魔矢を同じ向きないし同じ姿勢で飾ることしかできない。
【０００５】
そこで、本考案の目的は、破魔矢を異なる姿勢で飾ることができる飾り具を提供することにある。
【課題を解決するための手段】
【０００６】
上記の課題を解決すべく、本考案は、破魔矢を挿通するための孔を有する天板と、前記天板に対向し、前記孔に挿通された破魔矢の先端部を受ける底板と、略水平の状態の破魔矢を受けるように離間して配置された一対の受け部と、を具備することを特徴とする飾り具を提供する。
【０００７】
また、上記のような構成を有する本考案の飾り具は、前記天板及び前記底板とともに御札の収納空間を形成する背板及び側板を更に具備すること、が好ましい。
【０００８】
また、上記のような構成を有する本考案の飾り具では、前記一対の受け部が、前記側板から正面側に突出するように設けられていること、が好ましい。
【０００９】
また、上記のような構成を有する本考案の飾り具では、前記底板が、御幣を取り付けるための台を含むこと、が好ましい。
【考案の効果】
【００１０】
上記のような構成の本考案によれば、破魔矢を異なる姿勢で飾ることができる。
【図面の簡単な説明】
【００１１】
【図１】破魔矢３１を縦向きに飾った状態を示す飾り具１の斜視図である。
【図２】破魔矢３１を横向きに飾った状態を示す飾り具１の斜視図である。
【図３】本実施形態に係る飾り具１の正面図である。
【図４】図３の飾り具１の右側面図である。
【図５】図３の飾り具１の上面図である。
【考案を実施するための形態】
【００１２】
以下、本考案に係る飾り具の一実施形態について、図面を参照しつつ詳細に説明する。ただし、本考案はこれら図面に限定されるものではない。また、図面は、本考案を概念的に説明するためのものであるから、理解容易のために、必要に応じて寸法、比又は数を誇張又は簡略化して表している場合もある。
【００１３】
ここでは、説明の便宜上、鉛直上向きにＺ軸を取り、このＺ軸に直交するようにＸＹ平面を定める。そして、左右の側板が並ぶ方向をＹ軸方向に取り、Ｘ軸をＹ軸及びＺ軸に直交するように定める。
また、Ｚ軸方向を上下方向、Ｙ軸方向を横方向、Ｘ軸方向を前後方向と言うことがある。
【００１４】
図１〜図５を参照して、本実施形態に係る飾り具１を説明する。
飾り具１は、破魔矢及び御札を飾るために使用されるものであり、例えば木、合成樹脂、金属、紙のような様々な素材で作製される。かかる飾り具１は、例えば図１に示すように、天板３、底板７、背板１１、側板１５，１７及び一対の受け部１９，２１を含んで構成されている。
【００１５】
天板３は、飾り具１の天面を覆う板部材である。本実施形態では、天板３は、図４に示すように前方に向かって傾斜しており、また図５に示すように飾り具１の天面を部分的に覆っている。ただし、本考案はこれらに限られるものではない。
【００１６】
天板３は、図３に示すように、破魔矢３１を挿通するための孔５を有する。本実施形態では、１つの孔５が設けられているが、複数の孔５が設けられてもよい。また、孔５は、図１に示すように、縦向きに飾られた破魔矢３１によって御札３３及び御幣３５が隠されないように、側板１７の側に位置している。ただし、孔５は、側板１５の側に位置してもよいし、また、御札３３及び御幣３５の正面からの視認を妨げない限り、中央付近に位置してもよい。
【００１７】
底板７は、飾り具１の底面を構成する部材である。底板７は、例えば図４に示すように天板３に対向し、孔５に挿通された破魔矢３１の先端部を受けることができる。したがって、図１に示すように、破魔矢３１を縦向きに飾ることができる。また、底板７は、御幣３５を取り付けるための台９を含んでいてもよい。
【００１８】
このような天板３及び底板７とともに御札３３の収納空間を形成するように、背板１１及び側板１５，１７が設けられている。この収納空間に御札３３を飾ることができる。
【００１９】
背板１１は、飾り具１の背面を構成する部材であり、例えば図１に示すように、背板１１を背にして御札３３が立て掛けられることになる。本実施形態では、背板１１は、天板３及び側板１５，１７よりも上方（Ｚ軸の正方向）に延びて延長部を形成し、この延長部には、飾り具１を壁面に固定するための孔１３が設けられている。
【００２０】
側板１５，１７は、飾り具１の側面を構成する部材であり、例えば図３に示すように、互いに対向するように配置されている。側板１５，１７は、図４に示すように、底板７側において正面側（Ｘ軸の正方向）に突出し、一対の受け部１９，２１を形成している。ただし、一対の受け部は、側板１５，１７が部分的に後ろ側（Ｘ軸の負方向）に切り欠かれることで形成されてもよい。
【００２１】
受け部１９，２１は、横向き（略水平状態）の破魔矢３１を下側から受けて支持する部材であり、略同じ高さ（Ｚ軸方向の位置）に揃うとともに、離間して配置されている。したがって、図２に示すように、横向きの破魔矢３１を受け部１９，２１に載置することで破魔矢３１を水平状態で飾ることができる。
【００２２】
図４に示すように、受け部１９，２１では、破魔矢３１を安定的に保持するように前端が上方に突出していてもよい。換言すれば、受け部１９，２１の前後方向の中央は窪んでいてもよい。
【００２３】
上記の構成を有する本実施形態の飾り具１では、破魔矢３１を縦向きに飾ることができるとともに、破魔矢３１を横向きに飾ることができる。したがって、破魔矢の長さやユーザの嗜好に応じて破魔矢を異なる姿勢で飾ることができる。
また、飾り具１では、御札３３を飾ることができるとともに、御幣３５を飾り付けることもできる。したがって、破魔矢３１、御札３３及び御幣３５をコンパクトに飾り付けることが可能となる。
飾り具１は、載置してもよいし、壁掛けも可能であるから、飾り場所に応じた飾り具１の設置が可能である。また、壁付けの際には、３個の孔１３のそれぞれを例えばフックに引っ掛けることで、飾り具１の傾きや揺れを解消することができる。
【００２４】
以上、本発明の代表的な実施形態について説明したが、本発明はこれらに限定されるものではなく、種々の設計変更が可能であり、それらも本発明に含まれる。
【符号の説明】
【００２５】
１・・・飾り具、
３・・・天板、
５・・・孔、
７・・・底板、
１５，１７・・・側板、
１９，２１・・・受け部。
【図１】
0003216481.tif 000003
【図２】
0003216481.tif 000004
【図３】
0003216481.tif 000005
【図４】
0003216481.tif 000006
【図５】
0003216481.tif 000007